(57)【要約】  無線通信装置（１０）は、ユーザの動きを検出すると信号を生成する歩数計等の動き検出装置（２４）を含む。ユーザの動きの定量化特性は無線通信装置（１０）のメモリ（３０）に格納される。定量化特性は、動きを行うことによりユーザが達成することを希望する所定の目標を表す。プロセッサ（３２）は、動き検出装置（２４）から信号を受信し、ユーザの動きの選択された特性を監視するために信号を使用する。プロセッサ（３２）は選択された特性と比較し、比較によりユーザが特定の目標を達成したと判断される場合、リワードデータを無線通信装置（１０）にダウンロードする。
2008544694.tif 000002
【特許請求の範囲】
【請求項１】
無線通信装置（１０）のユーザにリワード型のフィードバックを提供する方法であって、
ユーザの動きを検出したことに応答して信号を生成する工程と、
前記ユーザの動きについての選択された特性と、前記動きを行う前記ユーザの所定の目標を表す前記ユーザの動きについての定量化特性とを比較する工程と、
前記比較により前記ユーザが前記所定の目標を達成したと判断される場合、前記無線通信装置（１０）にリワードデータをダウンロードする工程と
を備えることを特徴とする方法。
【請求項２】
前記生成された信号に応答して、前記ユーザの動きについての前記選択された特性を監視する工程を更に備えることを特徴とする請求項１に記載の方法。
【請求項３】
前記比較により前記ユーザが前記所定の目標を達成していないと判断される場合、前記無線通信装置（１０）のメモリ（３０）から前記リワードデータを削除する工程を更に備えることを特徴とする請求項２に記載の方法。
【請求項４】
前記選択された特性を監視する工程は、前記選択された特性を表す値を維持する工程と、連続して受信される信号に応答して前記値を更新する工程とを備えることを特徴とする請求項２に記載の方法。
【請求項５】
前記値が前記定量化特性を示す値以上の場合に、前記ユーザは前記所定の目標を達成することを特徴とする請求項４に記載の方法。
【請求項６】
前記定量化特性は期限が限定されており、前記リワードデータをダウンロードする工程は、前記ユーザが割り当てられた時間内に前記所定の目標を達成したと前記比較により判断される場合に、前記リワードデータをダウンロードすることを特徴とする請求項１に記載の方法。
【請求項７】
前記ユーザが前記所定の目標を選択するために、１つ以上の所定の目標を提供する工程を更に備えることを特徴とする請求項１に記載の方法。
【請求項８】
前記ユーザの競争活動の結果を示すユーザ入力を受信する工程を更に備えることを特徴とする請求項１に記載の方法。
【請求項９】
前記ユーザ入力に基づいて前記リワードデータをダウンロードする工程を更に備えることを特徴とする請求項８に記載の方法。
【請求項１０】
リモート無線通信装置から前記リワードデータをダウンロードするために、前記リモート無線通信装置との通信リンクを確立する工程を更に備えることを特徴とする請求項１に記載の方法。
【請求項１１】
サーバから前記リワードデータをダウンロードするために、無線通信ネットワークを介して前記サーバとの通信リンクを確立する工程を更に備えることを特徴とする請求項１に記載の方法。
【請求項１２】
前記信号を生成する工程は、前記ユーザの一歩の検出に応答して前記信号を生成することを特徴とする請求項１に記載の方法。
【請求項１３】
前記選択された特性及び前記定量化特性は前記ユーザの歩数に関連付けられることを特徴とする請求項１２に記載の方法。
【請求項１４】
前記リワードデータをダウンロードする工程は前記ユーザの総歩数に基づいて実行されることを特徴とする請求項１３に記載の方法。
【請求項１５】
無線通信信号を送信及び受信するように動作可能なトランシーバと、
検出されたユーザの動きに応答して信号を生成するように動作可能な動き検出器（２４）と、
前記検出された動きを行う前記ユーザの所定の目標を表す前記ユーザの動きについての定量化特性を格納するように動作可能なメモリ（３０）と、
前記動き検出器（２４）からの前記信号に応答して前記ユーザの動きについての選択された特性を監視し、前記選択された特性と前記定量化特性との比較により前記ユーザが前記所定の目標を達成したと判断される場合、前記トランシーバを介してリワードデータをダウンロードするように構成されるプロセッサ（３２）と
を備えることを特徴とする無線通信装置（１０）。
【請求項１６】
前記プロセッサ（３２）は、前記比較により前記ユーザが前記所定の目標を達成していないと判断される場合に、前記リワードデータを削除するように更に構成されることを特徴とする請求項１５に記載の無線通信装置。
【請求項１７】
前記プロセッサ（３２）は、リモート無線通信装置（１０）から前記リワードデータをダウンロードするように構成されることを特徴とする請求項１５に記載の無線通信装置。
【請求項１８】
前記プロセッサ（３２）は、無線通信ネットワーク（８０）を介してサーバ（８８）から前記リワードデータをダウンロードするように構成されることを特徴とする請求項１５に記載の無線通信装置。
【請求項１９】
前記動き検出器（２４）は、前記ユーザの一歩の検出に応答して前記信号を生成する歩数計を備えることを特徴とする請求項１５に記載の無線通信装置。
【請求項２０】
前記プロセッサ（３２）は、前記動き検出器から前記信号を受信すると前記選択された特性を算出するように構成されることを特徴とする請求項１９に記載の無線通信装置。
【請求項２１】
前記選択された特性は、前記ユーザの歩数、前記ユーザが燃焼するカロリー、前記ユーザの速度及び前記ユーザが移動する距離から成る情報群から選択される情報を含むことを特徴とする請求項２０に記載の無線通信装置。
【請求項２２】
前記ユーザの動きについての前記定量化特性は、所定の歩数、所定の燃焼カロリー、所定の速度及び所定の距離から成る情報群から選択される情報を含むことを特徴とする請求項２１に記載の無線通信装置。
【請求項２３】
前記リワードデータは、前記プロセッサ（３２）により実行される補足的マルチメディア効果を含むことを特徴とする請求項１５に記載の無線通信装置。
【請求項２４】
前記リワードデータは、前記無線通信装置（１０）で電子購入するために使用される１つ以上のトークンを含むことを特徴とする請求項１５に記載の無線通信装置。
【請求項２５】
前記リワードデータは、前記プロセッサ（３２）により実行されるアプリケーションを含むことを特徴とする請求項１５に記載の無線通信装置。
【請求項２６】
前記リワードデータは、前記リワードデータを使用可能にするために用いられる鍵を含むことを特徴とする請求項１記載の無線通信装置。
【請求項２７】
前記ユーザの競争活動の結果を示すユーザ入力を受信するように動作可能なユーザインタフェース（２２）を更に備えることを特徴とする請求項１５記載の無線通信装置。
【請求項２８】
前記プロセッサ（３２）は、前記ユーザ入力に応答して前記リワードデータをダウンロードするように構成されることを特徴とする請求項２７に記載の無線通信装置。
【請求項２９】
前記プロセッサ（３２）は、前記ユーザ入力に応答して前記リワードデータをメモリから削除するように構成されることを特徴とする請求項２７に記載の無線通信装置。
【発明の詳細な説明】
【技術分野】
【０００１】
本発明は、一般に無線通信装置に関し、特に、動き検出装置を備える無線通信装置に関する。
【背景技術】
【０００２】
ある特定の無線通信装置を購入するか否かを決定する場合、消費者は新奇な特徴及び新規の機能性を要求することが多い。特に人気のある特徴を用いれば、ユーザは特定相手の端末に着信メロディを割り当てることができる。着呼時、ユーザは着信音を聞くだけで発呼者を識別できる。ゲームの実行、画像及びビデオの閲覧、並びに種々の振動パターン及び照明パターンの定義を可能とする機能も人気がある。
【発明の開示】
【発明が解決しようとする課題】
【０００３】
消費者の無線通信装置に対する依存性は大きくなった。この依存性は、消費者が世界のあらゆる場所のあらゆる人と実質的に通信できることに確実に起因する。しかし、消費者がどの無線通信装置を選択するかは、無線通信装置の特徴の数及び／又は種類に関係する。当然、かつては新規で革新的であった物であっても消費者の関心は急速に衰える。従って、製造業者は、市場シェアを維持し且つ自社製品に対する消費者の購買意欲を高めるために、新規の特徴及び機能性を常に提供しようとする。
【課題を解決するための手段】
【０００４】
本発明は、ユーザが所定の目標を達成するのに応答して、ユーザにリワード（reward）を提供する無線通信装置を含む。リワードは、例えば、着信メロディ、スクリーンセーバ、ビデオクリップ、音声ファイル、バックライトパターン又は触覚機能パターン等の補足的マルチメディア効果であってもよい。更に、リワードは、アイテム、無線通信装置において使用するためのゲーム等のアプリケーションプログラム、又は無線通信装置に格納された機能性を使用可能にするために用いられる鍵をユーザが購入するために使用されるクレジット又はトークンであってもよい。ユーザは、無線通信装置のメモリに格納された所定の目的又は目標の達成時にリワードを受け取ってもよい。
【０００５】
一実施形態において、例えば、無線通信装置はユーザの動きの検出に応答して信号を生成する検出器を含む。検出器は、無線通信装置の内部又は外部にあってもよい。プロセッサは信号を受信し、ユーザの動きに関連する選択された特性を算出する。また、プロセッサは選択された特性を監視し、選択された特性を無線通信装置のメモリに格納された定量化特性と比較する。定量化特性は、ユーザの動きに関連付けられる所定の目標又は目的を表す。ユーザが所定の目標を達成したとプロセッサが判定する場合、プロセッサはアプリケーションプログラムを実行し、着信メロディ等のリワードデータをリモートエンティティからダウンロードする。
【０００６】
無線通信装置は、広域又は狭域インタフェースを介してリモート無線通信装置からリワードデータをダウンロードするためのトランシーバを含んでもよい。更に、無線通信装置は、無線通信ネットワーク及び／又はインターネット等の通信ネットワークを介してサーバからリワードデータをダウンロードしてもよい。また、無線通信装置は、ユーザが所定の目標を達成しない場合に無線通信装置のメモリに既に格納されているリワードデータを削除するように構成されてもよい。
【発明を実施するための最良の形態】
【０００７】
本発明は、ユーザが所定の目標を達成するのに応答して、ユーザにリワードを提供する無線通信装置及びその方法を含む。本明細書において使用されるように、用語「無線通信装置」は、携帯無線電話、パーソナル移動通信システム（ＰＣＳ）端末、無線電話等を含むパーソナルデジタルアシスタント（ＰＤＡ）、インターネット／イントラネットアクセス、ウェブブラウザ、オーガナイザ、カレンダ、並びに／又は全地球測位システム（ＧＰＳ）受信機、従来のラップトップ及び／又はパームトップ受信機、あるいは無線電話トランシーバを含む他の機器又は移動局を含んでもよい。
【０００８】
図面を参照すると、図１は、本発明の一実施形態に従って構成される無線通信装置１０を示す。無線通信装置１０は、ユーザインタフェース１２及び通信インタフェース１４を筐体１６内に含む。ユーザインタフェース１２は、システムインタフェースポート１８、ディスプレイ２０、ユーザ入力装置２２、検出器２４、マイクロフォン２６及びスピーカ２８を含む。一般に、ユーザインタフェース１２により、ユーザは無線通信装置１０と対話し且つ無線通信装置１０を制御できる。システムインタフェースポート１８はオスコネクタ又はメスコネクタを具備してもよい。オスコネクタ又はメスコネクタにより、ユーザは無線通信装置１０を任意の数の所望の周辺装置に接続できる。そのような装置は、ハンズフリーヘッドセット（不図示）、外部カメラ又はフラッシュ装置（不図示）及び外部動き検出装置（図２）を含むが、それらに限定されない。ディスプレイ２０により、ユーザは、メニュー及びメニュー項目、ダイヤルした数字、画像、通話状態情報、ユーザアプリケーションからの出力、並びにリワードとしてユーザにダウンロードされたビデオクリップ及び画像等の補足的マルチメディア効果等の情報を見ることができる。
【０００９】
ユーザ入力装置２２は、キーパッド、タッチパッド、ジョイスティック制御ダイヤル及び制御ボタン等の入力装置や他の入力装置又はそれらの組み合わせを含んでもよい。ユーザ入力装置２２により、ユーザは番号をダイヤルし、コマンドを入力し、ディスプレイ２０上でユーザに提示されるメニュー及びメニュー項目をスクロールし且つ選択できる。また、ユーザ入力装置２２により、ユーザは、無線通信装置のメモリ３０に格納された１つ以上の所定の対象目標を選択及び／又は構成できる。マイクロフォン２６は、ユーザの被検出通話及び他の可聴音等の可聴信号を受信し、音声処理回路３４により処理される電気音声信号に変換する。スピーカ２８は、音声処理回路３４からアナログ音声信号を受信し、ユーザに聞こえる可聴音に変換する。
【００１０】
検出器２４はユーザの動きを検出する。検出器２４は、図１に示すように無線通信装置１０の内部に配置されてもよく、又は図２に示すように無線通信装置１０の外部に配置されてもよい。検出器２４は動きを検知するため、ユーザによる初期校正及び／又は周期的校正を必要とする。無線通信装置１０の内部の検出器の場合、ユーザは、ユーザ入力装置２２を使用して検出器２４を制御及び／又は校正してもよい。しかしながら、外部検出器２４は、ユーザが外部検出器２４の動作を校正及び／又は制御できるようにするために、それ自体のディスプレイ４４及びユーザインタフェース４６を含んでもよい。更に、外部検出器の場合、ケーブル４８は、システムインタフェースポート１８を介して検出器２４を無線通信装置１０に接続してもよい。
【００１１】
一実施形態において、検出器２４は歩数計を具備する。当該技術において周知であるように、歩数計は、ユーザが歩行する際に電源がオン／オフする電気回路を有する動き検知装置である。例えば、いくつかの歩数計は、ユーザが進む一歩毎に磁界を通過して前後に移動する磁気振子を使用する。他の歩数計は、地面に当たるユーザの足の衝撃を検出してもよい。しかしながら、歩数計がユーザの一歩を検出する方法に関わらず、歩数計に関連付けられるデジタル回路は、プロセッサ３２に送出されるパルス又は信号を生成するために起動又は停止される。
【００１２】
通信回路網１４は、特に、ユーザが無線通信リンクを介して１人以上の相手と通信できるようにするために必要な構成要素を含む。通信回路網１４は、メモリ３０、プロセッサ３２、音声処理回路３４、アンテナ３８に結合される広域トランシーバ３６、及びオプションでアンテナ４２に結合される狭域トランシーバ４０を具備する。メモリ３０は、無線通信装置１０におけるメモリの全階層を表し、ランダムアクセスメモリ（ＲＡＭ）及び読出し専用メモリ（ＲＯＭ）の双方、並びに磁気ディスク記憶装置又は光ディスク記憶装置を含んでもよい。動作に必要なコンピュータプログラム命令及びデータは、ＥＰＲＯＭ、ＥＥＰＲＯＭ及び／又はフラッシュメモリ等の不揮発メモリに格納される。それらのメモリは、個別の装置又はスタック装置として実現されてもよく、又はプロセッサ３２と一体化されてもよい。以下に更に詳細に説明するように、メモリ３０は、無線通信装置１０に提供されるリワードデータ及びユーザの動きに関連付けられる定量化特性を格納してもよい。
【００１３】
プロセッサ３２は、メモリ３０に格納されたプログラム及び／又はデータに従って無線通信装置１０の動作を制御する。制御機能は、単一のマイクロプロセッサにおいて実現されてもよく、又は複数のマイクロプロセッサにおいて実現されてもよい。適切なプロセッサは、例えば、汎用マイクロプロセッサ及び専用マイクロプロセッサの双方を含んでもよい。プロセッサ３０は音声処理回路３４とインタフェースしてもよい。音声処理回路３４は、基本アナログ出力信号をスピーカ２８に提供し、アナログ音声入力をマイクロフォン２６から受信する。更に、プロセッサ３２は、検出器２４により生成される信号を受信し、ユーザが所定の目標を達成する時期を判定するために信号を使用してもよい。判定に基づいて、プロセッサ３２は、リワードデータをメモリ３０にダウンロードするか又はリワードデータをメモリ３０から削除するように無線通信装置１０を制御してもよい。更に、プロセッサ３２は、リワードデータがユーザにより使用可能又は使用不可能になるように、リワードデータをアンロック及び／又はロックするように構成されてもよい。
【００１４】
広域トランシーバ３６及びアンテナ３８により、ユーザは無線通信ネットワーク内の基地局との間で無線通話を行い、データ信号を通信できる。広域トランシーバ３６は、汎ヨーロッパデジタル移動通信システム（ＧＳＭ）、ＴＩＡ／ＥＩＡ−１３６、ｃｄｍａＯｎｅ、ｃｄｍａ２０００、ＵＭＴＳ及び広帯域ＣＤＭＡとして一般に知られる規格を含む任意の周知の規格に従って動作する全機能セルラ無線トランシーバであってもよい。更に、広域トランシーバ３６は、送信信号及び受信信号を処理するためにベースバンド処理回路を含んでもよい。ベースバンド処理回路はプロセッサ３２に組み込まれてもよい。
【００１５】
狭域トランシーバ４０及びアンテナ４２により、ユーザは対応する狭域トランシーバ（不図示）との間で無線信号を通信できる。一実施形態において、狭域トランシーバ４０は、ＩＥＥＥ８０２．１１（ｂ）又は８０２．１１（ｇ）規格に従って動作するＢＬＵＥＴＯＯＴＨトランシーバ又はＲＦトランシーバである。当該技術において周知であるように、ＢＬＵＥＴＯＯＴＨは、アドホックネットワークの作成を許可するユニバーサル無線インタフェースであり、短距離通信に特に適する。しかしながら、狭域トランシーバ４０が、赤外線及びハードワイヤードケーブル等、短距離にわたって信号を送受信するように動作可能な当該技術において周知の任意の技術を利用してもよいことを理解すべきである。
【００１６】
本発明によると、ユーザが所定の目標を達成したか否かに基づいて、ユーザは無線通信装置１０と共に使用するためのリワードデータを取得又は削除してもよい。特に、プロセッサ３２は、検出器２４により生成される信号を受信し、周知の数学的技術を使用して、ユーザの動きの種々の情報又は特性に信号を変換してもよい。検出器２４が歩数計を具備する実施形態において、例えば、「特性」は、ユーザの歩数、歩行中にユーザが燃焼するカロリー数、ユーザが移動する距離、歩行中のユーザの平均速度、又はそれらの任意の組み合わせであってもよい。上述の特性の代わりに又はそれらに加えて、プロセッサ３２は生成された信号から他の特性を更に判定してもよい。プロセッサ３２は、これらの特性をユーザの対応する対象目標と比較してもよい。
【００１７】
図３は、本発明の一実施形態に従って、いくつかの好適な所定の目標及びユーザが所定の対象目標を選択又は定義する方法を示す。特に、無線通信装置１０は、ユーザがメモリ３０に事前に格納された１つ以上の対象目標５２ａ〜５２ｄを選択できるようにするメニュー５０を表示してもよい。更に、ユーザは１つ以上のユーザ定義目標５２ｅを設定してもよい。所定の目標５２ａ〜５２ｅは、本実施形態において、リワードを受信するためにユーザが達成する必要がある定量化特性を定義する。図３に示すように、定量化特性は、ユーザが特定の時間内に所定の目標を達成する必要があるように時間条件付きであってもよい。ユーザが目標を達成したか否かに基づいて、リワードデータはユーザの無線通信装置１０にダウンロードされるか、又はユーザの無線通信装置１０からアップロードされてもよい。
【００１８】
図４は、本発明の一実施形態に従って、リワードデータが無線通信装置１０に提供されてもよい方法６０を示す。上述のように、ユーザは達成する所定の目標をメニュー５０から選択する（ステップ６２）。所定の目標はメニューから選択されてもよく、又はユーザにより定義されてもよい。単に図示する目的で、方法６０は、１週間以内に１０，０００歩を歩行することをユーザに要求するオプション５２ｂをユーザが選択したと仮定する。しかしながら、ユーザは、選択されたオプション５２ｂの代わりに又はそれに加えて他のオプションを選択してもよい。時間条件付きの目標に対して、プロセッサ３２は、開始日及び時間を記録してもよく、あるいは特定の時間が経過した場合に終了するタイマを開始してもよい（ステップ６４）。
【００１９】
使用時、ユーザは無線通信装置１０を身につけて歩行する。検出器３０は、検出される一歩毎に信号を生成する（ステップ６６）。プロセッサ３２は、検出器３０により生成される信号を受信し、選択された特性を周知の数学的技術を使用して算出する（ステップ６８）。例えば、本実施形態において生成される信号は、ユーザの一歩に対応する電気パルスを含む。信号を受信すると、プロセッサ３２は、ある時間にわたる累積歩数を監視するために、メモリ３０内のカウンタを増分してもよい。同様に、プロセッサ３２は、ユーザが燃焼するカロリー数、移動距離、ユーザの平均速度又は他の特性に対する変数を算出及び維持してもよい。
【００２０】
プロセッサ３２は、選択された目標において特定された時間（例えば、１週間）が経過したかを判定するために確認する（ステップ７０）。ユーザが特定の歩数（例えば、１０，０００）を歩行せずに特定の時間が経過した場合、プロセッサ３２は、ユーザが特定の時間フレーム内で所定の目標を達成できなかったと判定する。このような場合、プロセッサ３２は、メモリ３０に既に格納されているリワードを削除してもよい（ステップ７２）。特定の時間が経過していない場合（ステップ７０）、プロセッサ３２は累積歩数を目標により特定される総歩数と比較する（ステップ８２）。累積歩数が選択された目標により特定される総歩数より少ないとプロセッサ３２が判定する場合、処理は続行し、検出器３０は次に検出される一歩に対する信号を生成する（ステップ６６）。あるいは、プロセッサ３２は、ユーザが目標を達成するために必要な総歩数進んだと判定してもよい（ステップ７４）。プロセッサ３２は、その後、リモートエンティティとの通信リンクを確立し（ステップ７６）、無線通信装置１０のメモリ３０にリワードデータをダウンロードする（ステップ７８）。
【００２１】
一実施形態において、無線通信装置１０は、図５に示すような通信ネットワーク８０を介してリモートエンティティからリワードデータをダウンロードしてもよい。ネットワーク８０は、アンテナ８４に接続される基地局サブシステム（ＢＳＳ）８２を含む。ＢＳＳ８２は、無線通信装置１０ａ、１０ｂを互いに及び他の相手と通信可能にするサービスをエアインタフェースリンク９０を介して装置１０ａ、１０ｂに提供する。更に、ＢＳＳ８２は、公衆又は専用ＩＰネットワークを介してサーバ８８への通信パスを提供してもよい。本発明のいくつかの実施形態において、リワードデータはサーバ８８に格納される。ユーザが所定の目標を取得したとプロセッサ３２が判定する場合、プロセッサ３２は、リワードデータを求める要求をサーバ８８に対して生成してもよい。要求は、特に、ユーザ名、要求されたリワードデータ、及びユーザにより達成された目標を識別する情報を含んでもよい。要求を受信すると、サーバ８８は、要求している無線通信装置１０にエアインタフェース９０を介してリワードデータをダウンロードしてもよい。同様に、ユーザが目標を達成できなかった場合、プロセッサ３２は、ユーザが特定のリワードを削除したことをサーバ８８に通知するメッセージを生成し、サーバ８８に送信してもよい。
【００２２】
別の実施形態において、無線通信装置１０ａの所定のユーザは、無線通信装置１０ｂの別のユーザと競争してもよい。装置１０ａ、１０ｂの一方又は双方に既に格納されているリワードデータが賭けられてもよい。例えば、競争は、歩行して２５００カロリーを燃焼した第１の人物が相手の装置に格納されたリワードデータを獲得することであってもよい。当然、敗者は、メモリ３０から特定のリワードデータが削除される。ユーザは競争目標及びリワードデータをサーバ８８に登録してもよい。目標に到達すると、「勝者」側無線通信装置１０ａのプロセッサ３２は、ダウンロードを要求するメッセージをサーバ８８に対して生成する。その後、サーバ８８は、賭けられたリワードデータを「勝者」側の装置１０ａにダウンロードし且つ無線通信装置１０ｂのメモリ３０からリワードデータを削除するために、「敗者」側の装置１０ｂに対するメッセージを生成する。
【００２３】
別の実施形態において、無線通信装置１０ａ、１０ｂは、装置間に確立される狭域通信リンク９２を介して賭けられたリワードデータを交換してもよい。本実施形態において、双方の無線通信装置は狭域トランシーバ４０を含んでもよい。勝者側装置１０ａのプロセッサ３２は、サーバ８８にリワードデータを求める要求を生成してもよい。その後、サーバ８８は、狭域リンク９２を介してリワードデータを送信し且つ脱落リワードデータをメモリ３０から削除するように無線通信装置１０ｂを制御するメッセージを無線通信装置１０ｂに送信してもよい。各無線通信装置１０ａ、１０ｂのプロセッサ３２はサーバ８８と対話せずに狭域リンク９２を介してリワードデータを交換するように構成可能であることは、当業者には当然に理解されるだろう。
【００２４】
従って、ユーザは所定の目標を正常に完了した際、リワードデータを取得してもよく、所定の目標の完了に失敗した際、リワードデータを削除してもよい。なお、所定の目標は、ユーザが行う身体活動（例えば、歩行）に関して説明した。しかしながら、ユーザは更に、無線通信装置１０に格納されたゲームアプリケーションのレベルを正常に完了するなどの他の活動についてもリワードデータを獲得できるようにしてもよい。図６に示すように、例えば、方法１００は、ユーザが特定のレベルを正常に完了した時期をプロセッサ３２が検出するのに応答して、ユーザがゲームの追加レベルを取得する方法を示す。
【００２５】
特に、ゲームアプリケーションはプロセッサ３２において実行されてもよく、従って、プロセッサ３２はユーザがレベルを完了する度に検出してもよい（ステップ１０２）。プロセッサ３２は、完了されたレベルがユーザがリワードを取得するレベルであるかを判定してもよい（ステップ１０４）。ユーザがリワードを取得するレベルではない場合、プロセッサ３２は通信リンクを確立し（ステップ１０６）、リワードデータをダウンロードする（ステップ１０８）。リワードデータは、例えば、ユーザが現在行っているゲームの１つ以上の上のレベルであってもよい。従って、ユーザは、メモリ３０に適合するゲームのみに限定されない。すなわち、メモリ３０は、ゲームのいくつかのレベル、例えば３つのレベルを一度に格納するだけでよい。ユーザがメモリ３０に格納されたレベルを完了する度に、次の３つのレベルが、既にメモリ３０内に存在するレベルを置き換えるためにダウンロードされる。
【００２６】
リワードデータは、任意の種類のデータ又は情報であってもよい。しかしながら、一実施形態において、リワードデータは、無線通信装置１０により実行されてもよい補足的マルチメディア効果を含む。例えば、リワードデータは、ビデオクリップ、画像、音声ファイル、着信メロディ、スクリーンセーバ、ゲーム、触覚振動パターン又はバックライトパターン等であってもよい。他の実施形態において、リワードデータは、ユーザが無線通信装置１０で電子購入するために採用するトークン又はクレジットを含む。いくつかの実施形態において、リワードデータは、ユーザがある機能性をアンロックするためのリワードを受信することを許可する鍵を含んでもよい。リワードデータの種類に関わらず、リワードデータは無線通信装置１０ａにより後で使用されるためにメモリ３０に格納されてもよい。更に、ユーザが目標を達成する場合に無線通信装置１０ａにより受信されるリワードデータは無作為に選択されてもよく、又は所定の目標の難易度に結び付けられてもよい。例えば、達成するのがより難しい目標は、達成するのがあまり難しくない目標より大きな値を有するデータを与えられてもよい。更に、連続達成の結果、値が連続して増加するリワードデータがダウンロードされてもよい。
【００２７】
以上、検出器２４から受信される信号に基づいて特性を算出するプロセッサ３２に関して本発明を説明した。しかしながら、本発明はそれに限定されない、あるいは、検出器２４は算出を実行する回路網を具備し、算出された特性を示す１つ以上の信号をプロセッサ３２に単に提供してもよい。このような場合、プロセッサ３２は、単に信号を受信し、必要又は要望に応じて、特性を監視するためにメモリ内の対応する変数を更新してもよい。
【００２８】
更に、無線通信装置１０は、別の無線通信装置１０とリワードデータを交換するにあたりサーバ８８と対話する必要がない。一実施形態において、スポーツを行う等ある活動を行っている２人のユーザは、各々の装置に格納されたリワードデータを「賭ける」ことができる。ユーザのうち一方又は双方は、自身の無線通信装置１０に最終得点を手入力してもよい。リワードデータは最終得点に基づいて「獲得」又は「削除」され、狭域通信リンクを介して装置間で交換されてもよい。
【００２９】
本発明の本質的特徴から逸脱せずに、本明細書中で特定して説明された方法以外の他の方法で本発明が実施されてもよいことは言うまでもない。本発明の実施形態は、全ての面において例示であって、限定的ではないと考えられるべきであり、添付の請求の範囲の意味及びそれと等価な範囲内に入る全ての変更は、その中に包含されるものとする。
【図面の簡単な説明】
【００３０】
【図１】本発明の一実施形態に従って構成される無線通信装置を示すブロック図である。
【図２】本発明の別の実施形態に従って構成される無線通信装置を示す透視図である。
【図３】本発明の一実施形態に従って、ユーザが対象目標を選択できるようにするメニューオプションを示す図である。
【図４】本発明の一実施形態に従って、リワードデータを無線通信装置にダウンロードする方法を示すフローチャートである。
【図５】本発明の一実施形態に従って構成される無線通信装置が動作してもよい通信ネットワークを示す図である。
【図６】本発明の別の実施形態に従って、ユーザがリワードデータを無線通信装置にダウンロードするための方法を示すフローチャートである。
【図１】
2008544694.tif 000003
【図２】
2008544694.tif 000004
【図３】
2008544694.tif 000005
【図４】
2008544694.tif 000006
【図５】
2008544694.tif 000007
【図６】
2008544694.tif 000008
【国際調査報告】
2008544694.tif 000009
2008544694.tif 000010